(57)【要約】【課題】  人間工学的な顕微鏡および顕微鏡架台を提供する。【解決手段】  人間工学的な顕微鏡（１）および顕微鏡架台（２）が開示されている。顕微鏡は、外側輪郭（３ｂ）を画定するスタンド基部（３ａ）を有するスタンド（３）を備えている。顕微鏡（１）は顕微鏡架台（２）に設置されている。顕微鏡架台（２）は、本体（４）と左右ハンドレスト（６）とを備えている。左右ハンドレスト（６）は、互いに独立して枢転自在となるように本体（４）に取り付けられている。顕微鏡架台（２）の高さ調整の結果、高さ調整に関係なく、前縁（６ａ）がベンチ表面（５０）に載った状態でハンドレスト（６）が回転する。【選択図】      図１
2004240426.tif 000002
【特許請求の範囲】
【請求項１】
顕微鏡架台と、前記顕微鏡架台に設置されたスタンドとを有する人間工学的な顕微鏡であって、
左右ハンドレストが前記顕微鏡架台に枢着されており、前記左右ハンドレストは互いに独立して枢転自在であることを特徴とする人間工学的な顕微鏡。
【請求項２】
前記スタンドが外側輪郭を有するスタンド基部を画定し、前記顕微鏡架台が外側輪郭を有する本体を有し、前記スタンド基部の前記外側輪郭が、前記本体の前記外側輪郭にほぼ対応している、請求項１に記載の人間工学的な顕微鏡。
【請求項３】
前記本体が底部に向かって開いた筐体を備え、前記筐体が、前記顕微鏡の前記スタンド基部の少なくとも１つの対応する脚部を収容する役割を果たす少なくとも１つの凹部に埋め込まれた表面を画定している、請求項２に記載の人間工学的な顕微鏡。 
【請求項４】
前記凹部がカットアウトまたは孔として構成されており、前記顕微鏡を前記顕微鏡架台に方向付ける役割を果たしている、請求項３に記載の人間工学的な顕微鏡。
【請求項５】
換気または給気のためのカットアウトが前記本体に提供されている、請求項１に記載の人間工学的な顕微鏡。
【請求項６】
前記顕微鏡を取り付けるための少なくとも１つの開口部が前記顕微鏡架台の前記本体に提供されている、請求項１に記載の人間工学的な顕微鏡。
【請求項７】
前記顕微鏡架台が、ベンチ表面上での前記顕微鏡架台の少なくとも３点支持を可能とするいくつかの枢支を備えている、請求項１に記載の人間工学的な顕微鏡。
【請求項８】
第１および第２の枢支は、第３の枢支からは独立して動作可能である、請求項７に記載の人間工学的な顕微鏡。
【請求項９】
前記枢支は前記底部に向かって開いた前記本体の前記筐体に提供されており、操作つまみおよびレバーが前記本体に提供されており、前記第１および第２の枢支は、前記操作つまみにより枢転可能であり、前記第３の枢支はレバーにより、枢転可能である、請求項８に記載の人間工学的な顕微鏡。
【請求項１０】
シャフトが前記操作つまみに連結されており、ブラケットが前記シャフトに提供され、同時に連結バーに連結されていて、１本は前記第１の枢支と、１本は前記第２の枢支と結合されており、前記ブラケットと前記第１および第２の枢支間の連結点はそれぞれ、回転可能な軸受けピンとして埋め込まれている、請求項９に記載の人間工学的な顕微鏡。
【請求項１１】
本体と、互いに独立して枢転自在となるように前記本体に取り付けられた左右ハンドレストとを備える顕微鏡架台。
【請求項１２】
前記左右ハンドレストが、蝶番システムにより、前記本体の左右側面チークピースに取り付けられている、請求項１１に記載の顕微鏡架台。
【請求項１３】
前記左右ハンドレストが、前記本体の左右側面チークピースにフック留め可能である、請求項１１に記載の顕微鏡架台。
【請求項１４】
前記ハンドレストがそれぞれ、前縁を有し、前記ハンドレストが、前記前縁へ向かう特定の部分からテーパーが付いている、請求項１１に記載の顕微鏡架台。
【請求項１５】
前記顕微鏡架台が、ベンチ表面上での前記顕微鏡架台の少なくとも３点支持を可能とするいくつかの枢支を備えている、請求項１１に記載の顕微鏡架台。
【請求項１６】
前記本体が、顕微鏡のスタンド基部の外側輪郭にほぼ対応する外側輪郭を有している、請求項１１に記載の顕微鏡架台。
【請求項１７】
前記本体が前記底部に筐体開口部を備える、請求項１６に記載の顕微鏡架台。
【請求項１８】
前記筐体が、前記顕微鏡の前記スタンド基部の少なくとも１つの対応する脚部を収容する役割を果たす少なくとも１つの凹部に埋め込まれた表面を有する、請求項１７に記載の顕微鏡架台。
【請求項１９】
前記凹部がカットアウトまたは孔として構成されており、前記顕微鏡を前記顕微鏡架台に方向付ける役割を果たしている、請求項１８に記載の顕微鏡架台。
【請求項２０】
前記顕微鏡を取り付けるための少なくとも１つの開口部が前記顕微鏡架台の前記本体に提供されている、請求項１１に記載の顕微鏡架台。
【発明の詳細な説明】
【技術分野】
【０００１】
本発明は人間工学的な顕微鏡に関するものであり、本発明はさらに顕微鏡架台に関する。
【背景技術】
【０００２】
（特許文献１）には、顕微鏡を使用者にとって人間工学的な位置に移動可能な顕微鏡架台が開示されている。傾き調節可能な基部プレートは同時にアームレストとしても機能する。基部プレートの中心に、高さと傾きに関して顕微鏡を調整する支持プレートが顕微鏡用に連結されて提供されている。基部プレートと架台プレートが連結されているため、人間工学的に最も好ましい位置を確立するためには複数の調整工程が必要である。さらに、基部プレートは広い取付空間を占め、狭い場所しか利用できない実験ベンチにとっては好ましくない。
【０００３】
（特許文献２）には、顕微鏡用の人間工学的に調整可能な架台プレートが記載されている。顕微鏡は前記架台プレートに固定されて据付けられている。架台プレートの傾きを調整するには少なくとも１つのねじ込み脚部が必要である。使用者用のハンドレストは設けられておらず、顕微鏡の高さを調整したら、使用者は非常に好ましくない手の位置を採るしかない。
【０００４】
（特許文献３）には、高さを調整可能な顕微鏡スタンドが記載されている。人間工学的な動作位置とするためにアームレストをスタンドに加えることができる。アームレストには、一つの固定された高さしかなく、最適な人間工学的な動作位置は顕微鏡の１つの設定高さのみについてしか実際のところ達成されていない。
【０００５】
（特許文献４）には、使用者にとって人間工学的に好ましい動作位置を得るために、照明装置と共に傾けることのできる顕微鏡が記載されている。ハンドレストはない。顕微鏡ステージと共に顕微鏡を傾けても、顕微鏡を用いる多くの実験には適していない。
【０００６】
なお、更に、この出願の発明に関連する先行技術文献情報として（特許文献５）がある。
【特許文献１】独国特許第１０１  ４８  ７８１号明細書
【特許文献２】米国特許第５，５１７，３５４号明細書
【特許文献３】米国特許第５，１０５，７０５号明細書
【特許文献４】米国特許第２，７３０，９２３号明細書
【特許文献５】特開２０００−１０５３４１（Ｐ２０００−１０５３４１Ａ）号公報
【発明の開示】
【発明が解決しようとする課題】
【０００７】
前述の特許に記載されている装置は、顕微鏡の人間工学的な位置を容易に確立できる基準には適合しない。さらに、人間工学的な位置を得るための手段は、据付け表面の最小の空間を占めるものでなければならない。
【課題を解決するための手段】
【０００８】
本発明の目的は、使用者の要望に応じて、使用者にとって人間工学的な位置に移動することのできる人間工学的な顕微鏡を作製することである。その目的は、使用者が顕微鏡を操作するのに人間工学的な手の位置または手の姿勢を可能とすることである。
【０００９】
上述の目的は、請求項１に記載された特徴を備えた人間工学的な顕微鏡により達成される。
【００１０】
本発明の更なる目的は、顕微鏡の位置を修正するのに好適で、使用者にとって、顕微鏡を操作するのに人間工学的な手の位置または手の姿勢を可能とする顕微鏡架台を作製することである。
【００１１】
上述の目的は、請求項１１に記載された特徴を備えた顕微鏡架台により達成される。
【００１２】
顕微鏡架台の調整に係らず、枢着されたハンドレストがベンチ表面の片側に常にあるという利点が本発明にはある。左右ハンドレストは、互いに独立して枢転自在となるように本体に取り付けられている。本体はさらに、顕微鏡のスタンド基部の外側輪郭にほぼ対応する外側輪郭を有している。顕微鏡架台と顕微鏡との間の移動に段差や縁部が生じないため、これは特に人間工学的に有利である。この結果、顕微鏡の操作構成要素への最適な接近性が得られる。更なる利点は、それぞれのハンドレストが前縁を有しており、ハンドレストが前縁に向かって特定の部分からテーパーが付いていることである。それによってベンチ表面からハンドレストまで使用者の手にとってスムーズな移動がなされる。顕微鏡の操作構成要素を動作させるのに、使用者は手を不慣れな、人間工学的に好ましくない位置に持っていく必要がない。
【００１３】
本発明の実施形態の更なる利点は、従属請求項より明らかである。
【発明の効果】
【００１４】
本願発明の顕微鏡では、左右ハンドレストが顕微鏡架台に枢着されており、左右ハンドレストは互いに独立して枢転自在であるから、使用者の要望に応じて、使用者にとって人間工学的な位置に移動することができる人間工学的な顕微鏡を作製することができる。
【００１５】
また、本願発明の顕微鏡架台は、本体と、互いに独立して枢転自在となるように本体に取り付けられた左右ハンドレストとを備えているから、顕微鏡の位置を修正するのに好適で、使用者にとって、顕微鏡を操作するのに人間工学的な手の位置または手の姿勢を可能とする顕微鏡架台を作製することができる。
【発明を実施するための最良の形態】
【００１６】
本発明の主題は図面に概略で示してあり、図面を参照して以下に説明する。
【００１７】
図１は、顕微鏡架台２に設置された顕微鏡１を示す。図面の明瞭性が損なわれないよう、例えば、Ｘ／Ｙステージ、目標タレット、接眼レンズ等のような顕微鏡の構成要素は省いてある。図１には、１種類の顕微鏡しか開示されていないが、その他の全ての顕微鏡が本発明の趣旨に適用可能であることは自明である。顕微鏡１は、顕微鏡１の様々な構成要素のための架台として機能するスタンド３を備えている。スタンド３は、Ｘ／Ｙステージのための取付構成要素４０を備えている。スタンドの上部領域に、管またはその他のポート、例えば、カメラポートのための取付開口部４１が設けられている。取付開口部４１の直下に目標タレットのための取付構成要素４２が設けられている。スタンド３は、顕微鏡の種類に応じて異なる外側輪郭３ｂを有するスタンド基部３ａの上にある（図２参照）。共軸調整つまみ４４は、Ｘ／Ｙステージの取付構成要素４０のＺ方向の粗および微調整のためにスタンド３の左右にそれぞれ設けられている。Ｘ／Ｙステージの取付構成要素４０にはまた、集光レンズまたはその他の光学手段のための台４５が設けられている。フィールドダイアフラム４３が、逆のスタンド基部３ａに位置するスタンド３の下部に設けられている。スタンド３は、左右から突出しているそれぞれの支持構成要素３ｃを有しており、これらはまたスタンド基部３ａの外側輪郭３ｂにも係っている。支持構成要素３ｃの更なる機能は、顕微鏡１全体の十分な安定性を確保することである。上述した通り、顕微鏡１は顕微鏡架台２に設置することができる。顕微鏡架台２は、可動ハンドレスト６が取り付けられた本体４を備えている。顕微鏡１は顕微鏡架台２と共に、通常はベンチ表面５０上にある。ハンドレスト６はそれぞれ前縁６ａを有している。ハンドレスト６は、調整にかかわらず、前縁６ａがベンチ表面５０上に載った状態で顕微鏡架台２上で可動である。
【００１８】
図２は、それぞれのスタンド基部３ａが顕微鏡架台２上に載った状態で設置された顕微鏡１の底面図である。スタンドは、振動減衰のためにも役立つ脚部３０をいくつかスタンド基部３ａに備えている。図１の説明で既に述べた通り、スタンド基部３ａには、その形状がスタンド基部３ａから突出している支持構成要素３ｃにも係っている外側輪郭３ｂがある。
【００１９】
図３は、本発明による顕微鏡架台２の実施形態の斜視図である。顕微鏡架台２は、ハンドレスト６が可動に取り付けられた本体４を備えている。図４から明らかなように、本体４は、下部に向かって開いた筐体５を備えており、これには、顕微鏡１のスタンド基部３ａの外側輪郭３ｂに対応する外部輪郭５ａがある。筐体５にはまた、凹部３１の存在する表面５ｂがある。凹部３１はまた、カットアウトまたは孔とすることもできる。凹部３１の数は、顕微鏡１のスタンド基部に設けられた脚部３０に基づいている。顕微鏡の種類に応じて凹部３１の配置を変えなければならないことは自明である。顕微鏡１の脚部３０は、筐体５の凹部３１に受容されて、顕微鏡架台２上の顕微鏡１の配向が同様になされる。ここに図示した実施形態においてはカットアウト７が本体４にある。このカットアウトを通して、換気や顕微鏡への更なる連結要素の導入がなされる。連結要素は、例えば、ケーブル、ファイバーまたは光学的入力および出力である。顕微鏡１は、例えば、少なくとも１つの開口部８により本体４にボルト止めすることができる。その目的で、ボルト（図示せず）を開口部８を通して、顕微鏡基部にある対応のねじ込みブッシングに係合させる。
【００２０】
図４は、顕微鏡架台２の下側から見た斜視図である。ベンチ表面５０に向かって開いた筐体５としての本体４には、第１および第２の背面枢支９ａおよび９ｂがある。本実施形態において、本体４は、スタンド基部３ａの外側輪郭３ｂに実質的に応じて、ほぼＴ−形状である。第１および第２の背面枢支９ａおよび９ｂは、本体４のＴ−形状の横棒に装着されている。第３の枢支１２は、第１および第２の枢支９ａおよび９ｂとは逆の本体４に装着されている。第１、第２および第３の枢支９ａ、９ｂおよび１２は、脚部３０を備えた顕微鏡１の取付表面の領域とは逆に位置している。
【００２１】
第１および第２の背面枢支９ａおよび９ｂは、それぞれ連結バー１０ａおよび１０ｂを介してシャフト１３に装着されたブラケット１４に連結している。ブラケットと第１および第２の背面枢支９ａおよび９ｂ間の連結点はそれぞれ、回転可能な軸受けピン１５によるものである。
【００２２】
シャフト１３は、本体４に回転可能および軸変位可能に構成されている。軸変位範囲は、ストップディスク１７と操作つまみ１６により定められている。シャフト１３は、操作つまみ１６が本体４の前側４ａに対して一定にプレスされるようにスプリング（図示せず）に当たっている。操作つまみ１６は、本体４の前側４ａに向かう側に、本体４の前側４ａにおいてシャフト１３の周囲に配置された対応の戻り止め溝１８ａに嵌る戻り止めラグ１８を有している。
【００２３】
本体４の前側４ａの領域にあって、シャフト１３の周囲に密着している第３の枢支１２は、本体４に回転可能および変位可能に装着されている。第３の枢支１２は、操作つまみ１６と同様に、戻り止めを介して嵌めてロック可能なレバー１９（図３参照）によって調整できる。
【００２４】
本体４のＴ−形状横棒には、左右側面チークピース２０ａおよび２０ｂがあり、それぞれ蝶番システム２１を備えている。蝶番システム２１は、ハンドレスト６を取り付ける機能を果たす。ハンドレスト６はそれぞれ前縁６ａを有している。顕微鏡架台２による顕微鏡１の高さ調整に係らず、蝶番システム２１を介して取り付けられたハンドレスト６は、前縁６ａがベンチ表面５０上に載った状態で置かれている。
【００２５】
図５は、本発明による顕微鏡架台２の側面図である。第１および第２の枢支９ａおよび９ｂ（図４および図６参照）用の操作つまみ１６が本体４に設けられている。レバー１９（図３参照）が、第３の枢支１２の調整のために本体４に設けられている。レバー１９のロッキングもまた、戻り止め１９ａを介して可能である。操作つまみ１６およびレバー１９を、操作つまみ１６を本体４の背面に、レバー１９を前に装着するようにして本体４上に配置するのも有利である。ハンドレスト６は、本体４または本体の筐体５に取り付けることができる。ハンドレスト６はそれぞれ前縁６ａを有している。ハンドレスト６は、前縁６ａに向かって特定の部分６ｂからテーパーが付いている。前縁６ａに向かうテーパーによって、ベンチ表面５０からハンドレストへの移動ができる限り滑らかになるように構成されることから、使用者の手を人間工学的に設置することが可能となる。使用者は、顕微鏡１の調整つまみ４４を触るのに、手を変に捻る必要がない。ハンドレスト６の表面は、例えば、軟らかい材料を備えることができる。さらに、ハンドレスト６は、人間の体温に適応させるために、加熱可能に構成することもできる。ハンドレスト６の表面に、衛生的な動作条件とするために、顕微鏡の使用者が変わる度に剥がせるシートを取り付けることもできる。
【００２６】
図６は、本発明により顕微鏡架台２の高さ調整を行って図５の側面図を修正したものである。顕微鏡架台２の高さ調整に際して、第１および第２の背面枢支９ａおよび９ｂは、本体４から、または筐体５からベンチ表面５０に向かって回転する。第３の枢支１２もまたレバー１９の動作により回転する。第１、第２および第３の枢支９ａ、９ｂおよび１２が同じように回転するとき、顕微鏡架台２の高さ調整がなされる。第１および第２の枢支９ａおよび９ｂは、第３の枢支からは独立して動作可能であるため、顕微鏡架台２および顕微鏡をＺ軸に対して傾けることができる。背面または前面に対して傾けることができる。顕微鏡架台２の高さ調整を行うのに、ナット付きスピンドル、鋏ジャッキ、カム、分離シム要素、高さ調整可能なクランプによる、または両側の枢支を曲げる、または回転させることによる調整も可能である。
【図面の簡単な説明】
【００２７】
【図１】本発明による人間工学的な顕微鏡架台上の顕微鏡の斜視図である。
【図２】それぞれのスタンド基部が顕微鏡架台上に載った状態で設置された顕微鏡の底面図である。
【図３】本発明による顕微鏡架台の実施形態の平面斜視図である。
【図４】本発明による顕微鏡架台の実施形態の底面斜視図である。
【図５】本発明による顕微鏡架台の側面図である。
【図６】高さ調整を行った、本発明による顕微鏡架台の側面図である。
【符号の説明】
【００２８】
１  顕微鏡
２  顕微鏡架台
３  スタンド
３ａ  スタンド基部
３ｂ  外側輪郭
３ｃ  支持構成要素
４  本体
４ａ  前側
５  筐体
５ａ  外部輪郭
５ｂ  表面
６  可動ハンドレスト
６ａ  前縁
６ｂ  特定の部分
７  カットアウト
８  開口部
９ａ  第１の背面枢支
９ｂ  第２の背面枢支
１０ａ  連結バー
１０ｂ  連結バー
１２  第３の枢支
１３  シャフト
１４  ブラケット
１５  軸受けピン
１６  操作つまみ
１７  ストップディスク
１８  戻り止めラグ
１８ａ  戻り止め溝
１９  レバー
１９ａ  戻り止め
２０ａ  左側面チークピース
２０ｂ  右側面チークピース
２１  蝶番システム
３０  脚部
３１  凹部
４０  取付構成要素
４１  取付開口部
４２  取付構成要素
４３  フィールドダイアフラム
４４  共軸調整つまみ
４５  台
５０  ベンチ表面
【図１】
2004240426.tif 000003
【図２】
2004240426.tif 000004
【図３】
2004240426.tif 000005
【図４】
2004240426.tif 000006
【図５】
2004240426.tif 000007
【図６】
2004240426.tif 000008